(57)【要約】【課題】  簡便な操作性によって大きな開口部のスコアを好適に破断させ注ぎ性を向上させたステイオンタブ式缶蓋を提供する。【解決手段】  蓋主板部２に開缶操作によって開口される開口部３が設けられるとともに、開口部３を開口するための開口用タブ１３が取り付けられ、開口部３に輪郭の一部が開口時に破断されるスコア７が形成され、開口用タブ１３は、その略中央が固着部６により蓋主板部２に固着され、開口用タブ１３には、固着部６を挟んだ一方の側に開口部３を押し下げ開口させる押下部が形成されるとともに、同他方の側に蓋主板部２から引き上げられる引上部１３ｃが形成されているステイオンタブ式缶蓋において、前記引上部１３ｃの引き上げによって固着部６を作用点とし、開口部３に当接され支点となる一の押下部１３ｂと、更なる引上部１３ｃの引き上げによって固着部６を支点とし、開口部３に当接され作用点となる二の押下部１３ａとを備える。【選択図】    図１
2006069605.tif 000002
【特許請求の範囲】
【請求項１】
蓋主板部に開缶操作によって開口される開口部が設けられるとともに、該開口部を開口するための開口用タブが取り付けられ、前記開口部に輪郭の一部が開口時に破断されるスコアが形成され、前記開口用タブは、その略中央が固着部により前記蓋主板部に固着され、該開口用タブには、該固着部を挟んだ一方の側に前記開口部を押し下げ開口させる押下部が形成されるとともに、同他方の側に前記蓋主板部から引き上げられる引上部が形成されているステイオンタブ式缶蓋において、
引上部の引き上げによって前記固着部を作用点とし、前記開口部に当接され支点となる一の押下部と、更なる引上部の引き上げによって前記固着部を支点とし、前記開口部に当接され作用点となる二の押下部とを備えることを特徴とするステイオンタブ式缶蓋。
【請求項２】
請求項１記載のステイオンタブ式缶蓋において、
一つの開口用タブの前記引上部と前記固着部を結んだ延長線上の異なる位置に、支点となる前記一の押下部と、作用点となる前記二の押下部とを備えることを特徴とするステイオンタブ式缶蓋。
【請求項３】
請求項１記載のステイオンタブ式缶蓋において、
支点となる前記一の押下部を有する第１の開口用タブと、作用点となる前記二の押下部を有する他の開口用タブとを備えることを特徴とするステイオンタブ式缶蓋。
【請求項４】
請求項１から３のいずれかに記載のステイオンタブ式缶蓋において、
前記固着部を基点として、前記開口部と連続して前記引上部側に延在する空気孔開口部を備えることを特徴とするステイオンタブ式缶蓋。
【発明の詳細な説明】
【技術分野】
【０００１】
本発明は、ステイオンタブ式缶蓋に関し、特に大きな開口部を確実に開口することを可能とし、かつ内容物の流出と空気の流入を円滑に行う好適な注ぎ性を備えるステイオンタブ式缶蓋に関する。
【背景技術】
【０００２】
一般に、飲料用缶に多用されているステイオンタブ式缶蓋においては、注ぎ性の向上を図るための各種の構造が採用されており、従来この種の構造としては以下のものが提案されている。
【０００３】
図５、図６、図７は注ぎ性の向上を図るために空気孔開口部を備えたステイオンタブ式缶蓋の例を示すものである。
【０００４】
図５に示すステイオンタブ式缶蓋は、第１の開口部３と空気孔開口部４を同一開口用タブ５によって開口させるものであり、開口用タブ５はその略中央が固着部６により蓋主板部２に回転可能に固着され、該開口用タブ５には該固着部６を挟んだ一方の側に押下部５ａが形成されるとともに、同他方の側に引上部５ｂが形成されている。前記蓋主板部２には、前記開口用タブ５の前記押下部５ａと重なる位置に、第１のスコア７によって囲まれた前記第１の開口部３が形成され、さらに、前記開口用タブ５を１８０°回転させたときに前記押下部５ａと重なる位置に、第２のスコア８によって囲まれた前記空気孔開口部４が形成されている。
【０００５】
このステイオンタブ式缶蓋においては、開口用タブ５の引上部５ｂを上方に引き上げることによって、前記開口用タブ５の押下部５ａが第１の開口部３の上面に当接され、さらに引上部５ｂを引き上げて、第１のスコア７を破断させ、開口部３を缶内部に押し込んで開口させることができる。次に、開口用タブ５を前記蓋主板部２に対してほぼ平行な状態まで戻し、固着部６を中心として、開口用タブ５を１８０°回転させる。これにより、開口用タブ５の押下部５ａを、空気孔開口部４の上面に面する位置に配置することができる。開口用タブ５の引上部５ｂを上方に引き上げることによって、開口用タブ５の押下部５ａが空気孔開口部４の上面に当接され、さらに引上部５ｂを引き上げると、第２のスコア８が破断し、空気孔開口部４が開口用タブ５の押下部５ａとともに缶内部に押し込まれる。これによって、空気孔開口部を開口することが可能となる。（特許文献１参照）
【０００６】
図６に示すステイオンタブ式缶蓋は、前記図５に示すものと基本的な構成を同様としており、開口用タブ９には固着部６と引上部９ｂと押下部９ａとが形成されているとともに、該固着部６を境にして前記第１の開口部３と反対側の蓋主板部２の上面にピン１０でかしめ付けられる後舌片部９ｃが取り付けられている。蓋主板部２には、前記開口用タブ９の前記押下部９ａと重なる位置に、第１のスコア７によって囲まれた前記第１の開口部３が形成されるとともに、前記開口用タブ９の後舌片部９ｃがかしめ付けられる前記ピン１０を中心にして、前記蓋主板部２の上面に直径が２〜３mm程度の第２のスコア１１が設けられている。
【０００７】
このステイオンタブ式缶蓋においては、開口用タブ９の引上部９ｂを上方に引き上げることによって、前記開口用タブ９の押下部９ａが第１の開口部３の上面に当接され、さらに引上部９ｂを引き上げて、第１のスコア７を破断させ、開口させることができる。前記開口用タブ９の引上部９ｂが引き上げられると同時に、前記開口用タブ９の後舌片部９ｃを固着したピン１０が引き上げられて、第２のスコア１１が破断され、空気孔開口部４が開口される。これによって、空気孔開口部を開口させることが可能となる。（特許文献２参照）
【０００８】
図７に示すステイオンタブ式缶蓋は、前記図５に示すものと基本的な構成を同様としており、開口用タブ１２には固着部６と引上部１２ｂと押下部１２ａとが形成されているとともに、前記蓋主板部２には、前記開口用タブ１２の前記押下部１２ａと重なる位置に第１のスコア７によって囲まれた前記第１の開口部３と、前記引上部１２ｂと重なる位置に第２のスコア８によって囲まれた空気孔開口部４とが形成されている。このとき、該空気孔開口部４は上方に若干膨出した形状に形成されている。
【０００９】
このステイオンタブ式缶蓋においては、開口用タブ１２の引上部１２ｂを下方に押し下げると、引上部１２ｂの裏側が空気孔開口部４に当接して押圧し、第２のスコア８が破断され、空気孔開口部４が開口される。これによって、空気孔開口部を開口させることが可能となる。（特許文献３参照）
【特許文献１】特許第３４６８５４８号公報
【特許文献２】特許第２９０９４１６号公報
【特許文献３】特開平７−１３２９３６号公報
【発明の開示】
【発明が解決しようとする課題】
【００１０】
しかしながら、図５に示すステイオンタブ式缶蓋においては、固着部においてリベット止めされた前記開口用タブを反転させることが操作上簡便とはいえない場合もある上、前記開口部と前記空気孔開口部が近接せざるを得ないことから、空気孔の効果を十分に発揮できないなどの課題も残されていた。
【００１１】
また、図６に示すステイオンタブ式缶蓋においては、固着部を支点、押下部を作用点とする梃の原理を利用し、小さな力で開口することを利点とするステイオンタブ式缶蓋に対し、前記開口用タブの引き上げ時に前記空気孔開口部を引圧開口させる負荷を同時に生じさせるため、前記開口部が半開口となるなどの問題があった。
【００１２】
さらに、図７に示したステイオンタブ式缶蓋においては、空気孔開口部を破断させるための大きな押下力を要することが課題として残されていた。
【００１３】
そこで、上記の課題を解決して注ぎ性を向上させる手段としては、開口部の開口面積を大きくすることが考えられる。すなわち、開口部の開口面積を大きくすることにより、内容物の注出と空気の流入が円滑に行えるため注ぎ性の向上を図ることが可能になる。
【００１４】
しかし、上記従来のステイオンタブ式缶蓋の開口機構は、引上部の引き上げによって、固着部を作用点、押下部を支点として固着部近傍のスコアのみ破断させる第１工程と、更なる引上部の引き上げによって、固着部を支点、押下部を作用点として残りのスコアを破断させる第２工程に区分され、押下部に生じる第１工程の支点と第２工程の作用点は略同一箇所となる。このため、大きな開口部を開口させる場合、第２工程において最遠のスコアに破断が進展するに従い押下部近傍の剛性不足が徐々に生じていき、引上力を破断に必要なせん断力としてスコアに伝達させることができず半開口となる課題が生じるという問題がある。
【００１５】
また、上記課題を受けて、固着部を基点に押下部の長さを長くして、第２工程の作用点を最遠のスコアに近づけ、破断の進展に伴う押下部近傍の剛性不足を極力生じさせない対策を講じた場合においても、押下部に生じる第１工程の支点と第２工程の作用点は略同一箇所となるため、第１工程の支点と作用点が遠くなり、固着部近傍のスコアのみ破断させることが好適にできなくなるという問題が残されていた。
【００１６】
したがって、開口部を大きくすることにより、注ぎ性の向上を図ろうとするステイオンタブ式缶蓋は実現するに至っていない。
【００１７】
本発明は、上記事情を鑑み、ステイオンタブ式缶蓋に関し、簡便な操作性によって大きな開口部のスコアを好適に破断させ注ぎ性を向上させたステイオンタブ式缶蓋を提供することを目的とする。
【課題を解決するための手段】
【００１８】
上記の目的を達するために、この発明は以下の手順を提供している。
【００１９】
請求項１に係る発明は、蓋主板部に開缶操作によって開口される開口部が設けられるとともに、該開口部を開口するための開口用タブが取り付けられ、前記開口部に輪郭の一部が開口時に破断されるスコアが形成され、前記開口用タブは、その略中央が固着部により前記蓋主板部に固着され、該開口用タブには、該固着部を挟んだ一方の側に前記開口部を押し下げ開口させる押下部が形成されるとともに、同他方の側に前記蓋主板部から引き上げられる引上部が形成されているステイオンタブ式缶蓋において、引上部の引き上げによって前記固着部を作用点とし、前記開口部に当接され支点となる一の押下部と、更なる引上部の引き上げによって前記固着部を支点とし、前記開口部に当接され作用点となる二の押下部とを備えることを特徴とする。
【００２０】
この発明に係るステイオンタブ式缶蓋においては、固着部近傍のスコアのみ破断させる前記一の押下部と、残りのスコアを破断させる前記二の押下部とを備えることによって、第１工程の支点と第２工程の作用点を異なる位置に設けることが可能となり、開口部の任意の位置に作用点を設けることができるため、大きな開口部のスコアを好適に破断することができる。
【００２１】
請求項２に係る発明は、請求項１記載のステイオンタブ式缶蓋において、一つの開口用タブの前記引上部と前記固着部を結んだ延長線上の異なる位置に、支点となる前記一の押下部と、作用点となる前記二の押下部とを備えることを特徴とする。
【００２２】
この発明に係るステイオンタブ式缶蓋においては、一つの開口用タブに固着部近傍のスコアのみ破断させる前記一の押下部と、残りのスコアを破断させる前記二の押下部とを備えることによって、第１工程の支点と第２工程の作用点を異なる位置に設けることが可能となり、開口部の任意の位置に作用点を設けることができるため、同一引上部の一連の引上操作により大きな開口部のスコアを好適に破断させることができる。
【００２３】
請求項３に係る発明は、請求項１記載のステイオンタブ式缶蓋において、支点となる前記一の押下部を有する第１の開口用タブと、作用点となる前記二の押下部を有する他の開口用タブとを備えることを特徴とする。
【００２４】
この発明に係るステイオンタブ式缶蓋においては、固着部近傍のスコアのみ破断させる前記一の押下部を有する第１の開口用タブと、残りのスコアを破断させる前記二の押下部を有する他の開口用タブとを備えることによって、第１工程の支点と第２工程の作用点を異なる位置に設けることが可能となり、開口部の任意の位置に作用点を設けることができるため、大きな開口部のスコアを好適に破断することができる。
【００２５】
請求項４に係る発明は、請求項１から３のいずれかに記載のステイオンタブ式缶蓋において、前記固着部を基点として、前記開口部と連続して前記引上部側に延在する空気孔開口部を備えることを特徴とする。
【００２６】
この発明に係るステイオンタブ式缶蓋においては、前記固着部を基点として、前記開口部と連続して前記引上部側に延在する空気孔開口部を備えることによって、内容物の注出に伴う空気の流入を円滑にすることができる。
【発明の効果】
【００２７】
請求項１に係る発明によれば、前記一の押下部と前記二の押下部とを備えることによって、固着部近傍のスコアのみ破断させる第１工程の支点と、残りのスコアを破断させる第２工程の作用点を異なる位置に設けることが可能となり、開口部の任意の位置に作用点を設けることができるため、大きな開口部のスコアを好適に破断することができ、注ぎ性を向上させることが可能になる。
【００２８】
また、請求項２に係る発明によれば、一つの開口用タブに前記一の押下部と前記二の押下部とを備えることによって、固着部近傍のスコアのみ破断させる第１工程の支点と、残りのスコアを破断させる第２工程の作用点を異なる位置に設けることが可能となり、開口部の任意の位置に作用点を設けることができるため、同一引上部の一連の引上操作により大きな開口部のスコアを好適に破断することができ、注ぎ性を向上させることが可能になる。
【００２９】
また、請求項３に係る発明によれば、前記一の押下部を有する第１の開口用タブと前記二の押下部を有する他の開口用タブとを備えることによって、固着部近傍のスコアのみ破断させる第１工程の支点と、残りのスコアを破断させる第２工程の作用点を異なる位置に設けることが可能となり、開口部の任意の位置に作用点を設けることができるため、大きな開口部のスコアを好適に破断することができ、注ぎ性を向上させることが可能になる。
【００３０】
また、請求項４に係る発明によれば、前記固着部を基点として、前記開口部と連続して前記引上部側に延在する空気孔開口部を備えることによって、内容物の注出に伴う空気の流入を円滑にすることができ、注ぎ性を向上させることが可能になる。
【発明を実施するための最良の形態】
【００３１】
本発明の第１実施形態に係るステイオンタブ式缶蓋Ａを図１から図３に基づいて説明する。
【００３２】
本発明の第１実施形態は飲料用缶等に用いられる缶蓋に関するものであり、有底円筒状の缶胴（図示せず）の上部に巻締めることによって被冠されるものである。この場合、缶胴及び缶蓋１は、例えば、アルミニウムやアルミニウム合金によって形成されたものである。
【００３３】
図１、図２、図３に示すように、缶蓋１は、蓋主板部２に開缶操作によって開口される開口部３が設けられているとともに、開口部３を開口するための開口用タブ１３が取り付けられている。開口部３には輪郭の一部が開口時に破断されるスコア７が形成され、スコア７が破断され開口したときに開口部３が缶内部に折り曲げられる折曲部１４が設けられているとともに、押下力を開口部３全体に伝えるため表面側に膨出させたビード部１５がスコア７に沿うように形成されている。このスコア７に囲まれた開口部３の面積は、６５０〜１０００mm2とされる。
【００３４】
開口用タブ１３は、その略中央が固着部６により蓋主板部２に固着され、固着部６を挟んで一方の側に蓋主板部２から引き上げられる引上部１３ｃが形成されるとともに、同他方の側の引上部１３ｃと固着部６を結んだ延長線上の固着部６側に一の押下部１３ｂと、その延長側に二の押下部１３ａとが形成され、この一の押下部１３ｂと二の押下部１３ａは蓋主板部２に形成された開口部３の一部と重なるように設けられている。
【００３５】
また、開口用タブ１３の引上部１３ｃに隣接する蓋主板部２上面には、引上部１３ｃを引き上げる際の指掛かりを良くするために下方に凹んだフィンガーホール部１６が形成されている。
【００３６】
以上説明した第１実施形態によれば、図３（ａ）に示すように、引上部１３ｃを引き上げることによって、引上部１３ｃと固着部６を結んだ延長線上に位置する一の押下部１３ｂと二の押下部１３ａが共に開口部３上面に当接され、更なる引上部１３ｃの引き上げによって、固着部６が作用点、一の押下部１３ｂと二の押下部１３ａとが支点となり、固着部６近傍のスコア７が破断される。これにより、第１工程が完了する。
【００３７】
このとき、固着部６近傍のスコア７の破断に寄与する支点は、主に一の押下部１３ｂとなる。また、引上部１３ｃを引き上げ二の押下部１３ａが開口部３上面に当接された後、固着部６近傍のスコア７が破断されるまでの間、二の押下部１３ａは徐々に弾性変形を生じ弾性力が蓄積されていくことになる。
【００３８】
ついで、図３（ｂ）に示すように、引上部１３ｃの更なる引き上げによって、固着部６が支点、一の押下部１３ｂと二の押下部１３ａとが作用点となり、第１工程によって破断された固着部６近傍のスコア７と連続して、残りのスコア７の破断が進展し、最終的には全てのスコア７が破断されるとともに、破断された開口部３は折曲部１４で缶内部に折り曲げられる。これにより、第２工程が完了する。
【００３９】
このとき、残りのスコア７の破断に寄与する作用点は、主に二の押下部１３ａとなる。また、第１工程で二の押下部１３ａに蓄積された弾性力は、第１工程が完了すると同時に第２工程の押下力に寄与することになる。
【００４０】
したがって、上記の構成においては、固着部６近傍のスコア７のみ破断させる第１工程の支点と、残りのスコア７を破断させる第２工程の作用点とが、一の押下部１３ｂと二の押下部１３ａのそれぞれ異なる位置に設けられているため、第２工程で最遠のスコア７に破断が進展し徐々に剛性不足を生じた場合においても、二の押下部１３ａによって、引上力を破断に必要なせん断力としてスコア７に伝達させることが可能であり、大きな開口部のスコア７を確実に破断させ開口させることができる。
【００４１】
また、上記の構成においては、同一開口用タブ１３の一連の引上操作による梃の原理と二の押下部１３ａの弾性力の双方を利用して開口することができるため、小さな力で開口可能な優れた操作性をも有している。
【００４２】
よって、上記構成によれば、簡便な操作性によって大きな開口部を開口することが可能となり、大きな開口部を付与することにより内容物の注出と空気の流入の円滑化が図られ、注ぎ性に優れたステイオンタブ式缶蓋を提供することができる。
【００４３】
なお、缶胴及び缶蓋１は、例えば、アルミニウムやアルミニウム合金によって形成されたものとしたが、必ずしもこれに限定されるものではない。つまり、プラスティック製でもよく特に材質を特定するものではない。
【００４４】
さらに、開口部３の面積は６５０〜１０００mm2とされるとしたが、必ずしもこの面積範囲に限定されるものではない。つまり、開口部３形状に応じて二の押下部１３ａの形状は任意とすることができるため、残りのスコア７の破断に寄与する作用点も開口部３形状に応じて任意の位置に設けることが可能である。よって、６５０〜１０００mm2外の開口部面積に対しても適用可能であり対象面積が限定されるものではない。
【００４５】
さらに、一の押下部１３ｂおよび二の押下部１３ａは、引上部１３ｃと固着部６を結んだ延長線上に形成されるものとしたが、必ずしもこの位置に限定されるものではない。つまり、開口部３形状に応じて二の押下部１３ａの形状は任意とすることができるため、残りのスコア７の破断に寄与する作用点も開口部３形状に応じて任意の位置に設けることが可能である。
【００４６】
ついで、本発明の第２実施形態に係るステイオンタブ式缶蓋Ｂを図４に基づいて説明する。本実施形態の説明においては、前記第１実施形態に係るステイオンタブ式缶蓋Ａと共通する構成については同一符号を付して詳細についての説明を省略する。
【００４７】
本発明の第２実施形態は飲料用缶等に関するものであり、缶蓋１を有底円筒状の缶胴（図示せず）の上部に巻締めることによって被冠されるものである。図４に示すように、缶蓋１は、蓋主板部２に開缶操作によって開口される開口部３が設けられているとともに、開口部３を開口するための第１の開口用タブ１７と第２の開口用タブ１８が取り付けられている。
【００４８】
開口部３には輪郭の一部が開口時に破断されるスコア７が形成され、スコア７が破断され開口した際に開口部３が缶内部に折り曲げられる折曲部１４が設けられるとともに、押下力を開口部３全体に伝えるため表面側に膨出させたビード部１５がスコア７に沿うように形成されている。このスコア７に囲まれた開口部３の面積は、６５０〜１０００mm2とされる。
【００４９】
第１の開口用タブ１７は、その略中央が第１固着部１９により蓋主板部２に固着され、第１固着部１９を挟んで一方の側に蓋主板部２から引き上げられる第１引上部１７ｂが形成されるとともに、同他方の側に一の押下部１７ａが形成されている。
【００５０】
第２の開口用タブ１８は、第１の開口用タブ１７と同様に構成されており、その略中央が第２固着部２０により蓋主板部２に固着され、第２固着部２０を挟んで一方の側に蓋主板部２から引き上げられる第２引上部１８ｂが形成されているとともに、同他方の側に二の押下部１８ａが形成されている。
【００５１】
第１の開口用タブ１７と第２の開口用タブ１８は、蓋主板部２に向きを同じとして平行に並べられ、第２の開口用タブ１８は、第１の開口用タブ１７に対し、第１固着部１９を基点として第１引上部１７ｂ側に若干移動して設けられており、一の押下部１７ａと二の押下部１８ａは蓋主板部２に形成された開口部３の一部と重なるように形成されている。
【００５２】
また、スコア７の第２の開口用タブ１８側端部は、第２固着部２０を基点として第２引上部１８ｂ側に、第２の開口用タブ１８の一部領域を包含するように延出され、これにより、空気孔開口部２１が形成されている。
【００５３】
さらに、第１引上部１７ｂと第２引上部１８ｂにそれぞれ隣接する蓋主板部２上面には、第１引上部１７ｂと第２引上部１８ｂを引き上げる際の指掛かりを良くするために下方に凹んだ第１フィンガーホール部２２と第２フィンガーホール部２３が形成されている。
【００５４】
以上説明した本第２実施形態によれば、一の押下部１７ａを有する第１の開口用タブ１７の第１引上部１７ｂを引き上げることにより、第１引上部１７ｂと第１固着部１９を結んだ延長線上に位置する一の押下部１７ａが開口部３上面に当接され、さらに第１引上部１７ｂを引き上げることによって、第１固着部１９が作用点、一の押下部１７ａが支点となり、第１固着部１９近傍のスコア７が破断され第１工程が完了する。
【００５５】
ついで、二の押下部１８ａを有する第２の開口用タブ１８の第２引上部１８ｂをさらに引き上げることにより、第２引上部１８ｂと第２固着部２０を結んだ延長線上に位置する二の押下部１８ａが開口部３上面に当接され、さらに第２引上部１８ｂを引き上げることによって、第２固着部２０が支点、二の押下部１８ａが作用点となり、第１の開口用タブ１７によって破断された第１の開口用タブ１７の第１固着部１９近傍のスコア７と連続して、残りのスコア７の破断が進展し、最終的には全てのスコア７が破断されるとともに、破断された開口部３は折曲部１４で缶内部に折り曲げられ第２工程が完了する。
【００５６】
したがって、上記の構成においては、第１固着部１９近傍のスコア７を破断させる第１工程の支点と、残りのスコア７を破断させる第２工程の作用点とが、第１の開口用タブ１７の一の押下部１７ａと第２の開口用タブ１８の二の押下部１８ａのそれぞれ異なる位置に設けられているため、第２の開口用タブ１８の二の押下部１８ａによって、引上力を破断に必要なせん断力としてスコア７に伝達させることが可能であり、大きな開口部のスコア７を確実に破断させ開口させることができる。
【００５７】
また、上記構成においては、第１固着部１９近傍のスコア７を破断させる第１工程を担う第１の開口用タブ１７と、残りのスコア７を破断させる第２工程を担う第２の開口用タブ１８とが工程別に設けられているため、それぞれ小さな力で開口可能な優れた操作性をも有している。
【００５８】
さらに、上記構成においては、第２固着部２０を基点として、開口部３と連続して第２引上部１８ｂ側に延在する空気孔開口部２１が、内容物の注出に伴う空気の流入をより円滑にするため、注ぎ性の向上を図ることができる。
【００５９】
よって、上記構成によれば、簡便な操作性によって大きな開口部を開口することが可能となり、大きな開口部を付与することにより内容物の注出と空気の流入の円滑化が図られ、注ぎ性に優れたステイオンタブ式缶蓋を提供することができる。
【００６０】
なお、第１の開口用タブ１７は、第１固着部１９近傍のスコア７のみ破断させる第１工程のみに供用されているが、必ずしもこれに限定されるものではない。つまり、第１の開口用タブ１７は、従来のステイオンタブの使用と同様に、第１工程によって第１固着部１９近傍のスコア７を破断させた後、さらに第１引上部１７ｂを引き上げ、破断可能なスコア７を破断するために使用することが可能である。このとき、第１の開口用タブ１７の一の押下部１７ａは作用点となる。
【００６１】
さらに、第２固着部２０を基点として、開口部３と連続して第２引上部１８ｂ側に延在する空気孔開口部２１は、第２の開口用タブ１８に近接して設けられているが、必ずしもこれに限定されるものではない。つまり、第１の開口用タブ１７の一の押下部１７ａを作用点として使用することも可能なため、主に内容物が注出される開口部に対し、空気の流入を円滑に行える位置であれば、その設置位置は限定されるものではない。
【００６２】
さらに、第１の開口用タブ１７に対し第２の開口用タブ１８を、第１固着部１９を基点として第１引上部１７ｂ側に若干移動して設置しているが、必ずしもこの配置に限定されるものではない。つまり、この若干の移動により開口面積をより大きくすることができるが、必要とされる開口面積を移動なくして確保できる場合であれば、開口部形状に応じて任意の位置に設置できるものである。
【図面の簡単な説明】
【００６３】
【図１】本発明のステイオンタブ式缶蓋の第１実施形態として示した平面図である。
【図２】本発明のステイオンタブ式缶蓋の第１実施形態として示した断面図である。
【図３】本発明のステイオンタブ式缶蓋の第１実施形態として示した開缶操作時の断面図である。
【図４】本発明のステイオンタブ式缶蓋の第２実施形態として示した平面図である。
【図５】従来の他のステイオンタブ式缶蓋の平面図である。
【図６】従来の他のステイオンタブ式缶蓋の平面図である。
【図７】従来の他のステイオンタブ式缶蓋の平面図である。
【符号の説明】
【００６４】
２      蓋主板部
３      開口部
６      固着部
７      スコア
１３    開口用タブ
１３ａ  二の押下部
１３ｂ  一の押下部
１７    第１の開口用タブ
１７ａ  一の押下部
１８    第２の開口用タブ
１８ａ  二の押下部
２１    空気孔開口部
【図１】
2006069605.tif 000003
【図２】
2006069605.tif 000004
【図３】
2006069605.tif 000005
【図４】
2006069605.tif 000006
【図５】
2006069605.tif 000007
【図６】
2006069605.tif 000008
【図７】
2006069605.tif 000009